【手続補正書】
【提出日】平成23年12月12日(2011.12.12)
【手続補正１】
【補正対象書類名】特許請求の範囲
【補正対象項目名】全文
【補正方法】変更
【補正の内容】
【特許請求の範囲】
【請求項１】
ユーザを識別するためのユーザ情報と、記憶媒体の認証情報群とを対応付けて記憶している記憶手段とを備える認証サーバと画像形成装置とを含む認証情報管理システムであって、
前記画像形成装置は、
ユーザ情報に対応付けられた認証情報群を前記認証サーバより受信する認証情報受信手段と、
前記認証情報受信手段で受信した認証情報群の中で、ユーザが所有するユーザ認証に用いる記憶媒体を読み取ることによって得られた記憶媒体の認証情報とを比較することにより、前記認証サーバに要求する認証情報を特定する認証情報特定手段と、
前記認証情報特定手段で特定された認証情報を含む削除要求を前記認証サーバに送信する削除要求送信手段とを備え、
前記認証サーバは、
ユーザ情報に対応付けられた認証情報群を前記画像形成装置へ送信する認証情報送信手段と、
前記画像形成装置から認証情報を含む削除要求を受信する削除要求受信手段と、
前記削除要求受信手段で受信した削除要求に含まれる認証情報に従って、前記記憶手段に記憶されている認証情報群から削除対象の記憶媒体の認証情報を削除する削除手段と
を備えることを特徴とする認証情報管理システム。
【請求項２】
前記画像形成装置は、
前記認証情報特定手段で特定された、記憶媒体を読み取ることによって得られた記憶媒体の認証情報を含む棚卸要求を前記認証サーバに送信する棚卸要求送信手段と
を更に備え、
前記認証サーバは、
前記画像形成装置から前記認証情報を含む棚卸要求を受信する棚卸要求受信手段と、
前記棚卸要求受信手段で受信した棚卸要求に含まれる認証情報に対応する記憶媒体があることを示す棚卸を前記記憶手段に登録する棚卸登録手段と
を更に備えることを特徴とする請求項１に記載の認証情報管理システム。
【請求項３】
前記削除要求に含まれる認証情報は、前記認証情報群のうち、前記棚卸要求されなかった認証情報であることを特徴とする請求項２に記載の認証情報管理システム。
【請求項４】
前記画像形成装置は、
前記認証情報受信手段で受信した認証情報群を一覧表示する認証情報一覧表示手段とを更に備え、
前記認証情報一覧表示手段は、ユーザが所有するユーザ認証に用いる記憶媒体を読み取ることによって得られた記憶媒体の認証情報と一致する前記認証情報受信手段で受信した認証情報群の認証情報と、ユーザが所有するユーザ認証に用いる記憶媒体を読み取ることによって得られた記憶媒体の認証情報と一致しない前記認証情報受信手段で受信した認証情報群の認証情報とを識別可能に表示することを特徴とする請求項１乃至３のいずれか１項に記載の認証情報管理システム。
【請求項５】
ユーザが所有するユーザ認証に用いる記憶媒体を読み取ることによって記憶媒体を削除可能にする紛失記憶媒体削除モードと、ユーザが所有するユーザ認証に用いる記憶媒体を読み取ることによってユーザが所有している記憶媒体の棚卸可能にする記憶媒体棚卸モードとを備え、
前記紛失記憶媒体削除モードは、前記認証情報一覧表示手段で、ユーザが所有するユーザ認証に用いる記憶媒体を読み取ることによって得られた記憶媒体の認証情報と一致しない前記認証情報受信手段で受信した認証情報群の認証情報を選択状態に、ユーザが所有するユーザ認証に用いる記憶媒体を読み取ることによって得られた記憶媒体の認証情報と一致する前記認証情報受信手段で受信した認証情報群の認証情報を非選択状態に表示し、
前記記憶媒体棚卸モードは、前記認証情報一覧表示手段で、ユーザが所有するユーザ認証に用いる記憶媒体を読み取ることによって得られた記憶媒体の認証情報と一致しない前記認証情報受信手段で受信した認証情報群の認証情報を非選択状態に、ユーザが所有するユーザ認証に用いる記憶媒体を読み取ることによって得られた記憶媒体の認証情報と一致する前記認証情報受信手段で受信した認証情報群の認証情報を選択状態に表示することを特徴とする請求項４に記載の認証情報管理システム。
【請求項６】
前記紛失記憶媒体削除モードの場合、前記削除要求に含まれる認証情報は、ユーザが所有するユーザ認証に用いる記憶媒体を読み取ることによって得られた記憶媒体の認証情報と一致しない前記認証情報受信手段で受信した認証情報群の認証情報であることを特徴とし、
前記記憶媒体棚卸モードの場合、前記棚卸要求に含まれる前記認証情報は、ユーザが所有するユーザ認証に用いる記憶媒体を読み取ることによって得られた記憶媒体の認証情報と一致する前記認証情報受信手段で受信した認証情報群の認証情報であることを特徴とする請求項５に記載の認証情報管理システム。
【請求項７】
前記削除要求送信手段で削除要求を送信するとともに、当該削除要求した認証情報に対応する記憶媒体に関する届出書類を印刷するべく、当該削除要求に含まれる認証情報を含む印刷データを出力する出力手段と
を更に備えることを特徴とする請求項１乃至６のいずれか１項に記載の認証情報管理システム。
【請求項８】
ユーザを識別するためのユーザ情報と、記憶媒体の認証情報群とを対応付けて記憶している記憶手段とを備える認証サーバと通信可能な画像形成装置であって、
ユーザ情報に対応付けられた認証情報群を前記認証サーバより受信する認証情報受信手段と、
前記認証情報受信手段で受信した認証情報群の中で、ユーザが所有するユーザ認証に用いる記憶媒体を読み取ることによって得られた記憶媒体の認証情報とを比較することにより、前記認証サーバに要求する認証情報を特定する認証情報特定手段と、
前記認証情報群から削除対象の記憶媒体の認証情報を削除するべく、前記認証情報特定手段で特定された認証情報を含む削除要求を前記認証サーバに送信する削除要求送信手段と
を備えることを特徴とする画像形成装置。
【請求項９】
ユーザ情報に対応付けられた認証情報群を前記認証サーバより受信する認証情報受信手段と、前記認証情報受信手段で受信した認証情報群の中で、ユーザが所有するユーザ認証に用いる記憶媒体を読み取ることによって得られた記憶媒体の認証情報とを比較することにより、前記認証サーバに要求する認証情報を特定する認証情報特定手段と、前記認証情報特定手段で特定された認証情報を含む削除要求を前記認証サーバに送信する削除要求送信手段とを備える画像形成装置と通信可能な、ユーザを識別するためのユーザ情報と、記憶媒体の認証情報群とを対応付けて記憶している記憶手段とを備える認証サーバであって、
ユーザ情報に対応付けられた認証情報群を前記画像形成装置へ送信する認証情報送信手段と、
前記画像形成装置から認証情報を含む削除要求を受信する削除要求受信手段と、
前記削除要求受信手段で受信した削除要求に含まれる認証情報に従って、前記記憶手段に記憶されている認証情報群から削除対象の記憶媒体の認証情報を削除する削除手段と
を備えることを特徴とする認証サーバ。
【請求項１０】
ユーザを識別するためのユーザ情報と、記憶媒体の認証情報群とを対応付けて記憶している記憶手段とを備える認証サーバと画像形成装置とを含む認証情報管理システムの処理方法であって、
前記画像形成装置が、
ユーザ情報に対応付けられた認証情報群を前記認証サーバより受信する認証情報受信ステップと、
前記認証情報受信ステップで受信した認証情報群の中で、ユーザが所有するユーザ認証に用いる記憶媒体を読み取ることによって得られた記憶媒体の認証情報とを比較することにより、前記認証サーバに要求する認証情報を特定する認証情報特定ステップと、
前記認証情報特定ステップで特定された認証情報を含む削除要求を前記認証サーバに送信する削除要求送信ステップとを実行し、
前記認証サーバが、
ユーザ情報に対応付けられた認証情報群を前記画像形成装置へ送信する認証情報送信ステップと、
前記画像形成装置から認証情報を含む削除要求を受信する削除要求受信ステップと、
前記削除要求受信ステップで受信した削除要求に含まれる認証情報に従って、前記記憶手段に記憶されている認証情報群から削除対象の記憶媒体の認証情報を削除する削除ステップ
とを実行することを特徴とする処理方法。
【請求項１１】
ユーザを識別するためのユーザ情報と、記憶媒体の認証情報群とを対応付けて記憶している記憶手段とを備える認証サーバと通信可能な画像形成装置の処理方法であって、
前記画像形成装置が、
ユーザ情報に対応付けられた認証情報群を前記認証サーバより受信する認証情報受信ステップと、
前記認証情報受信ステップで受信した認証情報群の中で、ユーザが所有するユーザ認証に用いる記憶媒体を読み取ることによって得られた記憶媒体の認証情報とを比較することにより、前記認証サーバに要求する認証情報を特定する認証情報特定ステップと、
前記認証情報群から削除対象の記憶媒体の認証情報を削除するべく、前記認証情報特定ステップで特定された認証情報を含む削除要求を前記認証サーバに送信する削除要求送信ステップ
とを実行することを特徴とする処理方法。
【請求項１２】
ユーザ情報に対応付けられた認証情報群を前記認証サーバより受信する認証情報受信手段と、前記認証情報受信手段で受信した認証情報群の中で、ユーザが所有するユーザ認証に用いる記憶媒体を読み取ることによって得られた記憶媒体の認証情報とを比較することにより、前記認証サーバに要求する認証情報を特定する認証情報特定手段と、前記認証情報特定手段で特定された認証情報を含む削除要求を前記認証サーバに送信する削除要求送信手段とを備える画像形成装置と通信可能な、ユーザを識別するためのユーザ情報と、記憶媒体の認証情報群とを対応付けて記憶している記憶手段とを備える認証サーバの処理方法であって、
前記認証サーバが
ユーザ情報に対応付けられた認証情報群を前記画像形成装置へ送信する認証情報送信ステップと、
前記画像形成装置から認証情報を含む削除要求を受信する削除要求受信ステップと、
前記削除要求受信ステップで受信した削除要求に含まれる認証情報に従って、前記記憶手段に記憶されている認証情報群から削除対象の記憶媒体の認証情報を削除する削除ステップ
とを実行することを特徴とする処理方法。
【請求項１３】
ユーザを識別するためのユーザ情報と、記憶媒体の認証情報群とを対応付けて記憶している記憶手段とを備える認証サーバと画像形成装置とを含む認証情報管理システムのプログラムであって、
前記画像形成装置を、
ユーザ情報に対応付けられた認証情報群を前記認証サーバより受信する認証情報受信手段と、
前記認証情報受信手段で受信した認証情報群の中で、ユーザが所有するユーザ認証に用いる記憶媒体を読み取ることによって得られた記憶媒体の認証情報とを比較することにより、前記認証サーバに要求する認証情報を特定する認証情報特定手段と、
前記認証情報特定手段で特定された認証情報を含む削除要求を前記認証サーバに送信する削除要求送信手段として機能させ、
前記認証サーバを、
ユーザ情報に対応付けられた認証情報群を前記画像形成装置へ送信する認証情報送信手段と、
前記画像形成装置から認証情報を含む削除要求を受信する削除要求受信手段と、
前記削除要求受信手段で受信した削除要求に含まれる認証情報に従って、前記記憶手段に記憶されている認証情報群から削除対象の記憶媒体の認証情報を削除する削除手段
として機能させることを特徴とするプログラム。
【請求項１４】
ユーザを識別するためのユーザ情報と、記憶媒体の認証情報群とを対応付けて記憶している記憶手段とを備える認証サーバと通信可能な画像形成装置のプログラムであって、
前記画像形成装置を、
ユーザ情報に対応付けられた認証情報群を前記認証サーバより受信する認証情報受信手段と、
前記認証情報受信手段で受信した認証情報群の中で、ユーザが所有するユーザ認証に用いる記憶媒体を読み取ることによって得られた記憶媒体の認証情報とを比較することにより、前記認証サーバに要求する認証情報を特定する認証情報特定手段と、
前記認証情報群から削除対象の記憶媒体の認証情報を削除するべく、前記認証情報特定手段で特定された認証情報を含む削除要求を前記認証サーバに送信する削除要求送信手段
として機能させることを特徴とするプログラム。
【請求項１５】
ユーザ情報に対応付けられた認証情報群を前記認証サーバより受信する認証情報受信手段と、前記認証情報受信手段で受信した認証情報群の中で、ユーザが所有するユーザ認証に用いる記憶媒体を読み取ることによって得られた記憶媒体の認証情報とを比較することにより、前記認証サーバに要求する認証情報を特定する認証情報特定手段と、前記認証情報特定手段で特定された認証情報を含む削除要求を前記認証サーバに送信する削除要求送信手段とを備える画像形成装置と通信可能な、ユーザを識別するためのユーザ情報と、記憶媒体の認証情報群とを対応付けて記憶している記憶手段とを備える認証サーバのプログラムであって、
前記認証サーバを、
ユーザ情報に対応付けられた認証情報群を前記画像形成装置へ送信する認証情報送信手段と、
前記画像形成装置から認証情報を含む削除要求を受信する削除要求受信手段と、
前記削除要求受信手段で受信した削除要求に含まれる認証情報に従って、前記記憶手段に記憶されている認証情報群から削除対象の記憶媒体の認証情報を削除する削除手段
として機能させることを特徴とするプログラム。
【手続補正２】
【補正対象書類名】明細書
【補正対象項目名】００１５
【補正方法】変更
【補正の内容】
【００１５】
そこで、本発明の目的は、記憶媒体を読み取ることによって、ユーザに対して登録されている記憶媒体の削除を画像形成装置から容易に行うことができる仕組みを提供することである。
【手続補正３】
【補正対象書類名】明細書
【補正対象項目名】００１６
【補正方法】変更
【補正の内容】
【００１６】
また、その他の目的は、記憶媒体の棚卸を画像形成装置から容易に行うことができる仕組みを提供することである。
【手続補正４】
【補正対象書類名】明細書
【補正対象項目名】００１７
【補正方法】変更
【補正の内容】
【００１７】
本発明の目的を達成するためのユーザを識別するためのユーザ情報と、記憶媒体の認証情報群とを対応付けて記憶している記憶手段とを備える認証サーバと画像形成装置とを含む認証情報管理システムであって、前記画像形成装置は、ユーザ情報に対応付けられた認証情報群を前記認証サーバより受信する認証情報受信手段と、前記認証情報受信手段で受信した認証情報群の中で、ユーザが所有するユーザ認証に用いる記憶媒体を読み取ることによって得られた記憶媒体の認証情報とを比較することにより、前記認証サーバに要求する認証情報を特定する認証情報特定手段と、前記認証情報特定手段で特定された認証情報を含む削除要求を前記認証サーバに送信する削除要求送信手段とを備え、前記認証サーバは、ユーザ情報に対応付けられた認証情報群を前記画像形成装置へ送信する認証情報送信手段と、前記画像形成装置から認証情報を含む削除要求を受信する削除要求受信手段と、前記削除要求受信手段で受信した削除要求に含まれる認証情報に従って、前記記憶手段に記憶されている認証情報群から削除対象の記憶媒体の認証情報を削除する削除手段とを備えることを特徴とする。
【手続補正５】
【補正対象書類名】明細書
【補正対象項目名】００１８
【補正方法】変更
【補正の内容】
【００１８】
本発明によれば、記憶媒体を読み取ることによって、ユーザに対して登録されている記憶媒体の削除を画像形成装置から容易に行うことができる。
【手続補正６】
【補正対象書類名】明細書
【補正対象項目名】００１９
【補正方法】変更
【補正の内容】
【００１９】
また、記憶媒体の棚卸を画像形成装置から容易に行うことができる。